(57)【要約】【課題】折り畳み可能な歩行補助器の展開状態での強度を向上させると共に、使用者が容易に使用可能な歩行補助器を提供する。【解決手段】前車輪１，１を下端に有する左右一対の前脚杆２，２と、後車輪３，３を下端に有する左右一対の後脚杆４，４とを、前後折り畳み可能に上部にて枢着し、Ｘ字状に枢結された連結部材５，５にて左右一対の上記前脚杆２，２を左右折り畳み可能に連結した前後及び左右に折り畳み可能な歩行補助器に於て、連結部材５，５の各々に枢結され中央で折り畳み自在な左右保持部材８を有し、左右保持部材８は第１位置決め孔を形成する左ボス盤26を有する左揺動部材24と第２位置決め孔を形成する右ボス盤27を有する右揺動部材25とから構成され、連結部材５，５の展開状態では、第１位置決め孔と第２位置決め孔とが同心状となって、弾性部材にて常時弾発付勢されるロック部材のロックピン部が第１位置決め孔と第２位置決め孔とに串挿し状に挿通して、連結部材５，５を展開状態で保持可能とする。【選択図】図１
2008220643.tif 000002
【特許請求の範囲】
【請求項１】
前車輪（１)(１）を下端に有する左右一対の前脚杆（２)(２）と、後車輪（３)(３）を下端に有する左右一対の後脚杆（４)(４）とを、前後折り畳み可能に上部にて枢着し、Ｘ字状に枢結された連結部材（５)(５）にて左右一対の上記前脚杆（２)(２）を左右折り畳み可能に連結した前後及び左右に折り畳み可能な歩行補助器に於て、
上記連結部材（５)(５）の各々に枢結され中央で折り畳み自在な左右保持部材（８）を有し、上記左右保持部材（８）は第１位置決め孔（26ａ）を形成する左ボス盤（26）を有する左揺動部材（24）と第２位置決め孔（27ａ）を形成する右ボス盤（27）を有する右揺動部材（25）とから構成され、上記連結部材（５)(５）の展開状態では、上記第１位置決め孔（26ａ）と上記第２位置決め孔（27ａ）とが同心状となって、弾性部材（22）にて常時弾発付勢されるロック部材（20）のロックピン部（20ａ）が上記第１位置決め孔（26ａ）と上記第２位置決め孔（27ａ）とに串挿し状に挿通して、上記連結部材（５)(５）を展開状態で保持可能とすることを特徴とする歩行補助器。
【請求項２】
前車輪（１)(１）を下端に有する左右一対の前脚杆（２)(２）と、後車輪（３)(３）を下端に有する左右一対の後脚杆（４)(４）とを、前後折り畳み可能に上部にて枢着し、Ｘ字状に枢結された連結部材（５)(５）にて左右一対の上記前脚杆（２)(２）を左右折り畳み可能に連結し、上記前脚杆（２）に上下スライド自在に連結されると共に、上記後脚杆（４）に枢結された側枠部材（６）を備えた前後及び左右に折り畳み可能な歩行補助器に於て、
上記連結部材（５)(５）の各々に枢結され中央で折り畳み自在な左右保持部材（８）を有し、かつ、該左右保持部材（８）と上記側枠部材（６）とを枢結する補強部材（９）を有し、該補強部材（９）は、展開状態で、平面視前脚杆（２）へ接近する方向に、くの字乃至湾曲状に形成されていることを特徴とする歩行補助器。
【発明の詳細な説明】
【技術分野】
【０００１】
本発明は、歩行補助器に関する。
【背景技術】
【０００２】
従来の高年齢者等の身体弱者の歩行の補助を目的とした歩行補助器には、下端に前車輪有した左右一対の前脚杆と、下端に後車を輪有した左右一対の後脚とを、各々前後に連結し、前脚杆の上部にハンドル部を設けたものがある。さらに、歩行補助器を前後及び左右に折り畳み可能にしたのものがある。
また、特許文献１記載のように、折り畳み可能な歩行補助器を展開状態で保持可能なロック部材を設けて、使用時の安定性を向上させるものや、強固なフレーム構造を設けて安定性を向上させるものがあった。
しかし、使用時での安全性が求められると共に、折り畳み可能な構造とするため、構造が複雑化して扱いにくいといった欠点や強度を向上させる補強部材が歩行の邪魔になるといった欠点があった。
【特許文献１】特許第３０８０９４３号公報
【発明の開示】
【発明が解決しようとする課題】
【０００３】
解決しようとする課題は、本来の使用の目的である歩行の補助機能を損なわず、使用に充分な強度を必要とする点である。  
そこで、本発明は、折り畳み可能な歩行補助器の展開状態での強度を向上させると共に、使用者が容易に使用可能な歩行補助器の提供を目的とする。
【課題を解決するための手段】
【０００４】
そこで、本発明に係る歩行補助器は、前車輪を下端に有する左右一対の前脚杆と、後車輪を下端に有する左右一対の後脚杆とを、前後折り畳み可能に上部にて枢着し、Ｘ字状に枢結された連結部材にて左右一対の上記前脚杆を左右折り畳み可能に連結した前後及び左右に折り畳み可能な歩行補助器に於て、上記連結部材の各々に枢結され中央で折り畳み自在な左右保持部材を有し、上記左右保持部材は第１位置決め孔を形成する左ボス盤を有する左揺動部材と第２位置決め孔を形成する右ボス盤を有する右揺動部材とから構成され、上記連結部材の展開状態では、上記第１位置決め孔と上記第２位置決め孔とが同心状となって、弾性部材にて常時弾発付勢されるロック部材のロックピン部が上記第１位置決め孔と上記第２位置決め孔とに串挿し状に挿通して、上記連結部材を展開状態で保持可能とするものである。
【０００５】
また、前車輪を下端に有する左右一対の前脚杆と、後車輪を下端に有する左右一対の後脚杆とを、前後折り畳み可能に上部にて枢着し、Ｘ字状に枢結された連結部材にて左右一対の上記前脚杆を左右折り畳み可能に連結し、上記前脚杆に上下スライド自在に連結されると共に、上記後脚杆に枢結された側枠部材を備えた前後及び左右に折り畳み可能な歩行補助器に於て、上記連結部材の各々に枢結され中央で折り畳み自在な左右保持部材を有し、かつ、該左右保持部材と上記側枠部材とを枢結する補強部材を有し、該補強部材は、展開状態で、平面視前脚杆へ接近する方向に、くの字乃至湾曲状に形成されているものである。
【発明の効果】
【０００６】
本発明の歩行補助器によれば、左右保持部材にて展開状態を保持可能なので、安定した歩行が可能となる。また、ハンドル部への使用者の荷重バランスが偏っていても、折り畳み状態になることがないので転倒することがなく安全性が向上する。また、不用意に折り畳み状態にならないので、指や脚等を挟む危険がなく安全である。また、左右保持部材は歩行補助器の強度を補強する部材であると共に、展開状態を保持できる部材であるので、特別なロック機構を付設する必要がなく、部品点数を削減でき、軽量化と強度化とが可能である。また、左右保持部材は中央で折り畳み可能であるので、歩行補助器を容易に折り畳むことができる。また、左右保持部材と側枠部材とを補強部材で枢結しているので、歩行補助器の強度を向上できると共に、平面視前脚杆へ接近する方向にくの字乃至湾曲状に形成されている補強部材であるため、左右前脚杆と左右の後脚杆とで囲まれた歩行空間を狭めず安全に歩行ができる。
【発明を実施するための最良の形態】
【０００７】
以下、実施の形態を示す図面に基づき本発明を詳説する。
図１は、本発明の実施の一形態の背面図であり、図２は、その側面図である。
【０００８】
図１乃至図２に於て、２は金属管で形成された左右一対の前脚杆であって、下端に前車輪１を取着している。車輪１はキャスター機構ではなく、前脚杆２に走行回転可能に取着されている。また、前脚杆２の上端にハンドル部７を連結している。また、左右の前脚杆２，２の各々中間部に円筒状のスライド部材41を上下スライド自在に外嵌すると共に、各々上方に円筒状の第１枢着部材30を外嵌している。枢着部材30は下方へスライド不能に前脚杆２に外嵌して固着した円筒状の第１止め部材43にて規制されると共に、上方へスライド不能に前脚杆２に外嵌して固着した円筒状の外装部材16にて規制されている。そして、左右の前脚杆２，２を連結するための２本の連結部材５をＸ字状に枢結して各々上端を枢着部材30の膨出部30ｂに枢着させると共に、連結部材５，５の各々下端を、前脚杆２の中間部にスライド自在に外嵌させたスライド部材41の膨出部41ａに枢着している。また、前脚杆２に、スライド部材41の上方へのスライドを規制する第２止め部材40を外嵌して固着している。つまり、左右のハンドル部７，７を左右へ接近させると、Ｘ字状に枢結された連結部材５，５が、スライド部材41を下方へスライドさせながら閉じる構造としている。
【０００９】
また、４は後脚杆であって、後車輪３を下端に取着している。後脚杆４の上端は、第１枢着部材30の第２膨出部30ｂに枢着している。また、後脚杆４の中間部に円筒状の第２枢着部材42を外嵌して固着している。そして、前脚杆２のスライド部材41の膨出部41ａに連結部材５と干渉しないように板状の側枠部材６の一方の端部を枢着すると共に、後脚杆４の第２枢着部材42の膨出部42ａに板状の側枠部材６の他方の端部を枢着している。
【００１０】
さらに、Ｘ字状に枢結された連結部材５，５の各々下端に、中央で折り畳み自在な左右保持部材８を枢着している。
ここで、図面に基づき左右保持部材８の実施の一形態を詳説する。図４は左右保持部材８の実施の一例を示す背面図であり、図５はその平面図である。図６は図４のＡーＡ断面図である。
左右保持部材８は、同一板状部材である左右揺動部材24，25を有し、左右揺動部材24，25は一方の端部に外殻線円弧状にボス盤26，27を有し、他方の端部に枢着孔31，32を貫設している。また、ボス盤26，27の中央部に第１，２ボス孔28，29を貫設し、さらに、ボス盤26，27の所定の位置に第１，２位置決め孔26ａ，27ａを形成している。そして、図４に示すように、第１ボス孔28と第２ボス孔29を同心状にして同じ面同士を当接させ、円筒状のライナー21を第１，２ボス孔に内嵌させて、左右揺動部材24，25から突出したライナー21の外周端部のみを圧潰して、リベットの如く枢着している。さらに、棒材をコの字状に曲げて、一方の端部であるロックピン部20ａを他方の端部であるボタンピン部20ｂより長く形成したロック部材20を、図６に示すように、ロックピン部20ａを第２位置決め孔27ａから第１位置決め孔26ａへ串挿し状に挿通させると共に、ボタンピン部20ｂをライナー21の内孔21ａに挿通させている。そして、ボタンピン部20ｂに、弾性部材22を挿通させて、弾性部材22がロック部材20を常時弾発付勢可能に、ボタンピン部20ｂに挿入して固着可能なボタンキャップ23を、固着している。ここで、図７は、ボタンキャップ23を弾性部材22を圧縮するように押した状態を示す、要部断面図である。つまり、図７に示すのように、ボタンキャップ23を弾性部材22を圧縮するように押してもロックピン部20ａは第２位置決め孔27ａには挿入されたままになるように構成している。
よって、左右保持部材８は、左右の揺動部材24，25を左右のボス盤26，27を当接して下方へ折り畳み可能に枢着すると共に、連結部材５，５の左側下端部と左揺動部材24とを、枢着孔31に枢着部材（リベット等）を挿通して枢着し、右側下端部と右揺動部材25とを、枢着孔32に枢着部材（リベット等）を挿通して枢着している。
【００１１】
また、図１及び図３に示すように、連結部材５，５に枢着された左右保持部材８の左右揺動部材24，25の中間部に、平面視前脚杆２へ接近する方向に、くの字乃至湾曲状に形成された補強部材９，９の前方端部９ａを枢着すると共に、側枠部材６と第２枢着部材42との枢着部よりも前方に、補強部材９，９の後方端部９ｂを枢着して、左右保持部材８と側枠部材６とを連結している。つまり、補強部材９，９は、左右保持部材８と左右の側枠部材６，６との間に略ハの字状に配置されて連結している。
【００１２】
なお、本発明は、設計変更可能であって、例えば、左右保持部材８は上方に折り畳み可能に枢着しても良い。また、ロックピン部20ａを第１位置決め孔26ａから第２位置決め孔27ａへ串挿し状に挿通させると共に、ボタンピン部20ｂをライナー21の内孔21ａに挿通させて、ボタンキャップ23を歩行補助器の正面に構成するも良い。また、ライナー21の内孔21ａのかわりに、第１ボス孔28と第２ボス孔29とをもって、内孔21ａを形成しても良い。また、左右保持部材８の左右揺動部材24，25は板状に限らず棒材に左右ボス盤26，27を形成したものでも良い。
【００１３】
上述した本発明の歩行補助器の使用方法（作用）について説明する。
まず、図１乃至図３に示す本発明に係る歩行補助器の展開状態では、左右保持部材８の左右揺動部材24，25が略水平状となって、第１，２位置決め孔26ａ，27ａが同心状となり、ロック部材20に固着されたボタンキャップ23を弾性部材22が常時弾発付勢してロック部材20のロックピン部20ａを、第１，２位置決め孔26ａ，27ａ串挿し状に挿通して、連結部材５，５を展開状態で保持する。つまり、左右保持部材８は、歩行補助器の展開状態を保持する。
また、補強部材９，９は、左右保持部材８と左右の側枠部材６，６とを連結して、左右の後脚杆４，４が使用中に不用意に接近するのを防止する。また、左側の前後脚杆２，４と、右側の前後脚杆２，４とが前後に捩れるのを防止する。
【００１４】
また、本発明に係る歩行補助器具を折り畳む時では、まず、左右保持部材８のボタンキャップ23を押す。すると、ロック部材20のロックピン部20ａが左揺動部材24の第１位置決め孔26ａから抜ける。そして、左右保持部材８を中央で下方に折り曲げ後、ボタンキャップ23を押すのをやめる。すると、左右保持部材８は中央で下方に折り曲がっているので、左右揺動部材24，25の第１，２位置決め孔26ａ，27ａは同心状となっておらず、ロックピン部20ａは第１位置決め孔26ａに挿通されないと共に、第２位置決め孔27ａには挿入されたままとなり、左右揺動部材24，25を揺動可能状態となる。つまり、ボタンキャップ23を押して左右保持部材８による連結部材５，５の展開状態の保持を解除する。
【００１５】
次に各々のハンドル部７，７をもって、前脚杆２，２を左右に接近させる。すると、前脚杆２，２と後脚杆４，４が各々上端で上述のように連結しているので、後脚杆４，４は、左右に接近する。また、前脚杆２，２にＸ字状に枢結された連結部材５，５は左右に閉じながら、スライド部材41，41を下方へスライドさせる。そして、スライド部材41，41が下方にスライドすると、スライド部材41，41に各々枢着されている側枠部材６，６の前方端が下方に下がり、左右の後脚杆４，４を左右の前脚杆２，２へ各々接近させる。
【００１６】
また、前脚杆２，２を、左右に接近させた際に、前脚杆２，２にＸ字状に枢結された連結部材５，５は左右に閉じながら、連結部材5 ，5 の各々下端に枢着された左右保持部材８を中央で下方に折曲げる。さらに、左右保持部材８は、下方に折曲げられながら、補強部材９，９の前方部９ａを下方へ下げる。
よって、本発明に係る歩行補助器は前後及び左右に折り畳まれる。
【００１７】
以上のように、本発明は、前車輪１，１を下端に有する左右一対の前脚杆２，２と、後車輪３，３を下端に有する左右一対の後脚杆４，４とを、前後折り畳み可能に上部にて枢着し、Ｘ字状に枢結された連結部材５，５にて左右一対の前脚杆２，２を左右折り畳み可能に連結した前後及び左右に折り畳み可能な歩行補助器に於て、連結部材５，５の各々に枢結され中央で折り畳み自在な左右保持部材８を有し、左右保持部材８は第１位置決め孔26ａを形成する左ボス盤26を有する左揺動部材24と第２位置決め孔27ａを形成する右ボス盤27を有する右揺動部材25とから構成され、連結部材５，５の展開状態では、第１位置決め孔26ａと第２位置決め孔27ａとが同心状となって、弾性部材22にて常時弾発付勢されるロック部材20のロックピン部20ａが第１位置決め孔26ａと第２位置決め孔27ａとに串挿し状に挿通して、連結部材５，５を展開状態で保持可能とするので、不用意に歩行補助器が折り畳まれず、使用者の指や脚が挟まれず、安全に使用できる。また、左右保持部材８は、第１，２位置決め孔26ａ，27ａを設けて位置決めロック部材20を挿通させ保持するので、部品が小型でも確実に保持できる。また、従来の歩行補助器のように大掛かりなロック可能部材（特許文献１参照）を必要としないので、軽量化できる。また、ロック部材20が常に弾発付勢されるので、左右保持部材８を保持する操作が力の弱い高齢者等でも容易に操作できる。また、左右保持部材８をロック部材20で固定するので、展開状態を保持すると共に、展開状態での使用時の強度を向上できる。
【００１８】
また、前車輪１，１を下端に有する左右一対の前脚杆２，２と、後車輪３，３を下端に有する左右一対の後脚杆４，４とを、前後折り畳み可能に上部にて枢着し、Ｘ字状に枢結された連結部材５，５にて左右一対の前脚杆２，２を左右折り畳み可能に連結し、前脚杆２に上下スライド自在に連結されると共に、後脚杆４に枢結された側枠部材６を備えた前後及び左右に折り畳み可能な歩行補助器に於て、連結部材５，５の各々に枢結され中央で折り畳み自在な左右保持部材８を有し、かつ、左右保持部材８と側枠部材６とを枢結する補強部材９を有し、補強部材９は、展開状態で、平面視前脚杆２へ接近する方向に、くの字乃至湾曲状に形成されているので、展開状態での使用の際に使用者の足元前方の空間を広大に確保でき、使用者の脚が補強部材９にあたらず（干渉しないで）安全に使用できる。さらに、使用者が前方に大きく脚を踏み出せるので、歩行に充分な歩幅が確保でき、安定した歩行ができる。また、左右保持部材８と側枠部材６を枢結しているので、展開状態の使用時での強度が向上する。また、補強部材９，９は、左右保持部材８と左右の側枠部材６，６とを連結して、左右の後脚杆４，４が使用中に不用意に接近するのを防止すると共に、左側の前後脚杆２，４と、右側の前後脚杆２，４とが前後に捩れるのを防止するので、安定した歩行が可能であり、安全に使用できる。
【図面の簡単な説明】
【００１９】
【図１】本発明に係る歩行補助器の実施の一形態を示す背面図である。
【図２】本発明に係る歩行補助器の実施の一形態を示す側面図である。
【図３】要部拡大図である。
【図４】左右保持部材の実施の一例を示す背面図である。
【図５】左右保持部材の実施の一例を示す平面図である。
【図６】要部断面図である。
【図７】要部断面図である。
【符号の説明】
【００２０】
１  前車輪
２  前脚杆
３  後車輪
４  後脚杆
５  連結部材
６  側枠部材
８  左右保持部材
９  補強部材
20  ロック部材
20ａ  ロックピン部
22  弾性部材
24  左揺動部
25  右揺動部
26  左ボス盤
26ａ  第１位置決め孔
27  右ボス盤
27ａ  第２位置決め孔
【図１】
2008220643.tif 000003
【図２】
2008220643.tif 000004
【図３】
2008220643.tif 000005
【図４】
2008220643.tif 000006
【図５】
2008220643.tif 000007
【図６】
2008220643.tif 000008
【図７】
2008220643.tif 000009